(57)【要約】  電力変換装置は、電力変換のための電子部品（１３）と、空気を流動させることによって、電子部品（１３）に発生した熱を放散させる放熱構造と、電子部品（１３）が収容されている第１の部分（３）と、第１の方向において第１の部分（３）と隣り合い、内部にて空気が流れる第２の部分（４）とを有する筐体（２）と、を備える。第２の部分（４）のうち、第２の方向における一方の端に位置する第１の側面である右側面（４ａ）には、第２の部分（４）の内部から排出される空気が通る排気口（１１）が設けられている。第２の部分（４）のうち、第２の方向における他方の端に位置する第２の側面である左側面（４ｂ）には、第２の部分（４）の内部へ吸い込まれる空気が通る吸気口（１２）が設けられている。
2021070244.tif 000002
【特許請求の範囲】
【請求項１】
電力変換のための電子部品と、
空気を流動させることによって、前記電子部品に発生した熱を放散させる放熱構造と、
前記電子部品が収容されている第１の部分と、鉛直方向に垂直な第１の方向において前記第１の部分と隣り合い、内部にて空気が流れる第２の部分とを有する筐体と、を備え、
前記第２の部分のうち、鉛直方向に垂直かつ前記第１の方向に垂直な第２の方向における一方の端に位置する第１の側面には、前記第２の部分の内部から排出される空気が通る排気口が設けられており、
前記第２の部分のうち、前記第２の方向における他方の端に位置する第２の側面には、前記第２の部分の内部へ吸い込まれる空気が通る吸気口が設けられていることを特徴とする電力変換装置。
【請求項２】
前記第２の方向における前記第１の部分の２つの端のうち空気流の下流側に位置する端から前記第２の方向における前記筐体の中心までの長さよりも、前記第１の側面から前記中心までの長さのほうが短いことを特徴とする請求項１に記載の電力変換装置。
【請求項３】
前記第２の方向における前記第１の部分の２つの端のうち空気流の上流側に位置する端から前記第２の方向における前記筐体の中心までの長さよりも、前記第２の側面から前記中心までの長さのほうが短いことを特徴とする請求項１または２に記載の電力変換装置。
【請求項４】
前記筐体の下面に設けられており、前記電力変換装置が設置される設置面上にて前記筐体を支持する脚部と、
前記下面から前記筐体の外へ引き出されているケーブルと、を備え、
前記第１の方向と前記第２の方向とに垂直な第３の方向における前記脚部の長さは、前記設置面に前記ケーブルが接触した状態において、前記ケーブルの最小曲げ半径よりも大きい曲げ半径で前記ケーブルを曲げさせることが可能な長さであることを特徴とする請求項１から３のいずれか１つに記載の電力変換装置。
【請求項５】
前記筐体の下面に設けられており、前記電力変換装置が設置される設置面上にて前記筐体を支持する脚部と、
前記筐体の下面から前記筐体の外へ引き出されているケーブルと、を備え、
前記脚部には、前記ケーブルが通される孔が設けられていることを特徴とする請求項１から３のいずれか１つに記載の電力変換装置。
【発明の詳細な説明】
【技術分野】
【０００１】
本発明は、電子部品に発生した熱を放散させる放熱構造を有する電力変換装置に関する。
【背景技術】
【０００２】
蓄電池が搭載されている電動車両などの外部機器に接続されて、商用電源から蓄電池への充電の際における電力変換と、蓄電池から住宅内などの負荷への給電の際における電力変換とを行う電力変換装置が知られている。電力変換装置には、空気を流動させることによって電子部品の放熱を行う放熱構造が設けられることがある。【０００３】
特許文献１には、電子部品に接合されているベースプレートと、ベースプレートと一体とされた放熱フィンと、筐体の内部から空気を排出させるファンとを有し、電子部品からベースプレートおよび放熱フィンへ伝わった熱を、空気流によって筐体の外へ放出させる急速充電器が開示されている。特許文献１に記載の急速充電器では、正面、背面、右側面、左側面および天井面の各パネルにより構成される筐体のうち、右側面パネルの上部と、背面パネルの上部とに排気口が設けられている。
【先行技術文献】
【特許文献】
【０００４】
【特許文献１】特開２０１８−５０３８０号公報
【発明の概要】
【発明が解決しようとする課題】
【０００５】
電力変換装置は、壁などの構造物の周囲に設置される場合がある。電力変換装置を操作する操作者、あるいは電力変換装置をメンテナンスする作業者からの操作を受け付ける入力手段は、筐体の正面に設けられることが多い。したがって、操作者あるいは作業者が筐体の正面に対峙することができるように、電力変換装置は、筐体のうち背面が構造物へ向けられて設置されることが想定される。また、スペースを有効に利用するために、電力変換装置は、できるだけ構造物へ寄せて設置されることが望まれる。電動車両に接続される電力変換装置が駐車場に設置される場合は、できるだけ多くのスペースを駐車のために利用できるようにするために、電力変換装置は、できるだけ構造物に寄せて設置されることが望まれる。【０００６】
上記特許文献１の従来技術に開示されるように筐体の背面に排気口が設けられている場合、筐体から排出される空気を逃がすためのスペースが筐体の背面側に必要となる。このため、上記従来技術によると、電力変換装置は、筐体の背面を構造物に寄せて設置することができないという問題があった。【０００７】
本発明は、上記に鑑みてなされたものであって、筐体の背面を構造物に寄せて設置することが可能な電力変換装置を得ることを目的とする。
【課題を解決するための手段】
【０００８】
上述した課題を解決し、目的を達成するために、本発明にかかる電力変換装置は、電力変換のための電子部品と、空気を流動させることによって、電子部品に発生した熱を放散させる放熱構造と、を備える。本発明にかかる電力変換装置は、電子部品が収容されている第１の部分と、鉛直方向に垂直な第１の方向において第１の部分と隣り合い、内部にて空気が流れる第２の部分とを有する筐体を備える。第２の部分のうち、鉛直方向に垂直かつ第１の方向に垂直な第２の方向における一方の端に位置する第１の側面には、第２の部分の内部から排出される空気が通る排気口が設けられている。第２の部分のうち、第２の方向における他方の端に位置する第２の側面には、第２の部分の内部へ吸い込まれる空気が通る吸気口が設けられている。
【発明の効果】
【０００９】
本発明にかかる電力変換装置は、筐体の背面を構造物に寄せて設置することができるという効果を奏する。
【図面の簡単な説明】
【００１０】
【図１】本発明の実施の形態１にかかる電力変換装置の外観を示す第１の斜視図
【図２】実施の形態１にかかる電力変換装置の外観を示す第２の斜視図
【図３】実施の形態１にかかる電力変換装置の外観を示す平面図
【図４】実施の形態１にかかる電力変換装置が有する筐体および脚部を示す第１の平面図
【図５】実施の形態１にかかる電力変換装置が有する筐体および脚部を示す第２の平面図
【図６】図４に示すVI−VI線における筐体の断面図
【図７】図６に示すVII−VII線における筐体の断面図
【図８】実施の形態１にかかる電力変換装置の第１の設置例を示す図
【図９】実施の形態１にかかる電力変換装置の第２の設置例を示す図
【図１０】本発明の実施の形態２にかかる電力変換装置の外観を示す平面図
【図１１】図１０に示すXI−XI線における筐体の断面図
【図１２】実施の形態２の変形例１にかかる電力変換装置の外観を示す第１の平面図
【図１３】実施の形態２の変形例１にかかる電力変換装置の外観を示す第２の平面図
【図１４】実施の形態２の変形例２にかかる電力変換装置の外観を示す第１の平面図
【図１５】実施の形態２の変形例２にかかる電力変換装置の外観を示す第２の平面図
【発明を実施するための形態】
【００１１】
以下に、本発明の実施の形態にかかる電力変換装置を図面に基づいて詳細に説明する。なお、この実施の形態によりこの発明が限定されるものではない。
【００１２】
実施の形態１．
図１は、本発明の実施の形態１にかかる電力変換装置の外観を示す第１の斜視図である。図２は、実施の形態１にかかる電力変換装置の外観を示す第２の斜視図である。図３は、実施の形態１にかかる電力変換装置の外観を示す平面図である。
【００１３】
電力変換装置１は、蓄電池が搭載されている外部機器である電動車両に接続される。電力変換装置１は、商用電源から蓄電池への充電の際における交流から直流への電力変換と、蓄電池から住宅内の負荷への給電の際における直流から交流への電力変換とを行う。電動車両は、電気自動車あるいはプラグインハイブリッド自動車といった車両である。負荷は、家電機器などである。負荷は、住宅内の負荷に限られず、住宅以外の負荷であっても良い。電力変換装置１は、電動車両が駐車される駐車場に設置される。電力変換装置１が接続される外部機器は、電動車両以外の電気機器であっても良い。電力変換装置１は、電動車両が駐車される駐車場以外の場所に設置されるものであっても良い。
【００１４】
電力変換装置１は、電力変換装置１の外殻を構成する筐体２を有する。筐体２は、第１の部分３と第２の部分４とを有する。第１の部分３は、直方体形状である。第１の部分３には、電力変換のための電子部品が収容されている。第２の部分４は、第１の部分３よりも小さい直方体形状である。第２の部分４には、放熱構造が収容されている。第２の部分４の内部にて、空気が流れる。第１の部分３と第２の部分４とは、互いに一体とされている。電子部品および放熱構造については後述する。
【００１５】
第１の部分３のうち、第２の部分４が設けられている側とは逆側の面は、着脱可能なカバー５により構成される。ねじ５ａは、カバー５を通されて、第１の部分３の内部に設けられている固定部に締め付けられる。カバー５は、ねじ５ａが緩められることによって取り外される。カバー５は、電力変換装置１のメンテナンスなどの際に取り外される。固定部の図示は省略する。
【００１６】
なお、実施の形態１にて、電力変換装置１が設置された状態においてカバー５のうち筐体２の外側の面が向いている方向を前方と称することがある。前方とは逆の方向を、後方と称することがある。また、電力変換装置１が設置された状態における前後の方向を、第１の方向Ｄ１と称することがある。カバー５のうち前方へ向けられている面が、筐体２の正面１ａである。第２の部分４のうち後方へ向けられている面が、筐体２の背面１ｂである。電力変換装置１を操作する操作者、および電力変換装置１をメンテナンスする作業者は、電力変換装置１の正面１ａに対峙する。なお、図１には、電力変換装置１を後方斜めから見た様子を示している。図２には、電力変換装置１を前方斜めから見た様子を示している。図３には、設置面２０に設置されている電力変換装置１を後方から見た様子を示している。
【００１７】
実施の形態１にて、設置された状態の電力変換装置１を前方から見た場合における左右の方向を、第２の方向Ｄ２と称することがある。第２の方向Ｄ２は、第１の方向Ｄ１に垂直な方向である。電力変換装置１が設置されている状態において、第１の方向Ｄ１および第２の方向Ｄ２は、いずれも水平方向に平行な方向である。右側面３ａは、第１の部分３のうち右側の側面である。左側面３ｂは、第１の部分３のうち左側の側面である。右側面４ａは、第２の部分４のうち右側の側面である。左側面４ｂは、第２の部分４のうち左側の側面である。第１の部分３と第２の部分４とは、第１の方向Ｄ１において互いに隣り合う。
【００１８】
また、実施の形態１にて、設置された状態の電力変換装置１を前方から見た場合における鉛直方向を、第３の方向Ｄ３と称することがある。第１の方向Ｄ１と第２の方向Ｄ２と第３の方向Ｄ３とは、互いに垂直である。
【００１９】
第２の方向Ｄ２における第２の部分４の長さは、第２の方向Ｄ２における第１の部分３の長さよりも短い。第３の方向Ｄ３における第２の部分４の長さは、第３の方向Ｄ３における第１の部分３の長さよりも短い。なお、図２では、第２の部分４が第１の部分３に隠れている。
【００２０】
筐体２の下面、すなわち第１の部分３の下面および第２の部分４の下面には、２つの脚部６が設けられている。脚部６は、設置面上にて筐体２を支える。なお、電力変換装置１に設けられる脚部６の数は２つに限られず、適宜変更しても良い。電力変換装置１において脚部６が設けられる位置は図示する位置に限られず、適宜変更しても良い。
【００２１】
電力変換装置１は、外部機器への充電および外部機器からの放電の際に電力変換装置１と外部機器とを接続する充放電ケーブル７と、充放電ケーブル７の先端に設けられているコネクタ８とを有する。コネクタ８は、外部機器の差し込み口へ差し込まれる。第１の部分３の右側面３ａには、筐体２の内部から筐体２の外部へ充放電ケーブル７が通されるケーブル引出口７ａが設けられている。右側面３ａには、充放電ケーブル７が掛けられるホルダ９が設けられている。また、電力変換装置１は、商用電源と電気的に接続される電源ケーブルを有する。電源ケーブルは、筐体２の内部から筐体２の外部へ引き出されている。実施の形態１では、電源ケーブルの図示を省略する。
【００２２】
第１の方向Ｄ１における電力変換装置１の長さは、第２の方向Ｄ２における電力変換装置１の長さよりも短い。電力変換装置１は、このように第１の方向Ｄ１において薄型であることによって、壁などの構造物に背面１ｂを寄せて電力変換装置１が設置された場合において、電力変換装置１が駐車あるいは人の通行において妨げとなる事態を低減させることができる。
【００２３】
図４は、実施の形態１にかかる電力変換装置が有する筐体および脚部を示す第１の平面図である。図５は、実施の形態１にかかる電力変換装置が有する筐体および脚部を示す第２の平面図である。図４には、筐体２および脚部６を右から見た様子を示している。図５には、筐体２および脚部６を左から見た様子を示している。なお、図４および図５では、充放電ケーブル７、コネクタ８およびホルダ９を省略している。
【００２４】
図４に示すように、第２の部分４の右側面４ａには、第２の部分４の内部から排出される空気が通る排気口１１が設けられている。右側面４ａは、第２の部分４のうち、第２の方向Ｄ２における一方の端に位置する第１の側面である。排気口１１には、第２の部分４の内部への異物の入り込みを防止するための網が設けられている。図４では、右側面４ａの全体に排気口１１が設けられている。排気口１１は、右側面４ａの一部に設けられていても良い。
【００２５】
図５に示すように、第２の部分４の左側面４ｂには、第２の部分４の内部へ吸い込まれる空気が通る吸気口１２が設けられている。左側面４ｂは、第２の部分４のうち、第２の方向Ｄ２における他方の端に位置する第２の側面である。吸気口１２には、第２の部分４の内部への異物の入り込みを防止するための網が設けられている。図５では、左側面４ｂの全体に吸気口１２が設けられている。吸気口１２は、左側面４ｂの一部に設けられていても良い。
【００２６】
図６は、図４に示すVI−VI線における筐体の断面図である。図７は、図６に示すVII−VII線における筐体の断面図である。図６に示す断面は、第１の方向Ｄ１および第２の方向Ｄ２に平行な断面である。図７に示す断面は、第１の方向Ｄ１および第３の方向Ｄ３に平行な断面である。
【００２７】
第１の部分３の内部には、電力交換のための電子部品１３が設けられている。電子部品１３は、直流電力を交流電力に変換するインバーター回路を構成する部品、または交流電力を直流電力に変換するコンバーター回路を構成する部品である。電子部品１３は、スイッチング素子、インダクタおよび整流素子などを含む。電子部品１３には、基板に実装されているものがある。電子部品１３は、基板に実装されている他の部品よりも多くの熱を発生させる部品である。第１の部分３の内部に設けられている部品のうち電子部品１３以外の部品と、基板との図示は省略する。
【００２８】
第１の部分３の内部には、熱伝導性を有する平板であるベース１４が設けられている。電子部品１３は、ベース１４のうち前方へ向けられている面に直接接合されている。電子部品１３とベース１４との間には、熱伝導性を有する材料が設けられていても良い。ベース１４のうち後方へ向けられている面には、複数のフィン１５が設けられている。複数のフィン１５の各々は、熱伝導性を有する平板である。第１の部分３のうち後方へ向けられている面には、複数のフィン１５が通される開口が設けられている。ベース１４は、当該開口を前方から塞ぐ。第２の部分４は、第１の部分３よりも後方において複数のフィン１５を覆う。なお、ベース１４とフィン１５とは、一体形状であっても良い。
【００２９】
第２の部分４の内部には、複数のフィン１５と、空気を流動させるファン１６とが設けられている。ファン１６は、排気口１１に隣接して第２の部分４の内部に配置されている。ファン１６は、第２の部分４に固定されている。第２の部分４の内部には、第３の方向Ｄ３へ並べられた２つのファン１６が配置されている。第２の部分４の内部に設けられるファン１６の数は、１つであっても良く、２つよりも多くても良い。
【００３０】
ファン１６が回転することによって、筐体２の外の空気は、吸気口１２を通って第２の部分４の内部へ吸い込まれる。第２の部分４の内部へ吸い込まれた空気は、複数のフィン１５と第２の部分４の内壁とによって構成される空間を通って、第２の方向Ｄ２へ流れる。第２の部分４の内部を流れた空気は、排気口１１を通って、筐体２の外へ排出される。
【００３１】
電子部品１３に発生した熱は、ベース１４を経て各フィン１５へ伝わる。フィン１５へ伝わった熱は、フィン１５の表面から、第２の部分４の内部の空気へ伝わる。第２の部分４の内部では、ファン１６を回転させることによって空気が流れる。第２の部分４の内部へ空気が取り込まれるとともに、第２の部分４の外へ空気が排出されることによって、筐体２の外へ熱が排出される。このように、ベース１４と複数のフィン１５とファン１６とは、空気を流動させることによって、電子部品１３に発生した熱を放散させる。ベース１４と複数のフィン１５とファン１６とは、放熱構造として機能する。
【００３２】
右側面４ａから中心Ｃまでの長さは、右側面３ａから中心Ｃまでの長さよりも短い。中心Ｃは、第２の方向Ｄ２における筐体２の中心とする。右側面３ａは、第２の方向Ｄ２における第１の部分３の２つの端である右側面３ａおよび左側面３ｂのうち、空気流の下流側に位置する端である。筐体２には、右側面３ａに対して右側面４ａが中心Ｃ側へ凹んでいることによる、いわば段差が形成される。
【００３３】
左側面４ｂから中心Ｃまでの長さは、左側面３ｂから中心Ｃまでの長さよりも短い。左側面３ｂは、右側面３ａおよび左側面３ｂのうち、空気流の上流側に位置する端である。筐体２には、左側面３ｂに対して左側面４ｂが中心Ｃ側へ凹んでいることによる、いわば段差が形成される。
【００３４】
図８は、実施の形態１にかかる電力変換装置の第１の設置例を示す図である。図８には、建造物の壁１７に背面１ｂを寄せて設置されている電力変換装置１を上方から見た様子を示している。図８に示す電力変換装置１は、壁１７と背面１ｂとの間隙がほとんど無い状態で設置されている。左側面４ｂに設けられている吸気口１２から第２の部分４の内部へ吸い込まれた空気は、第２の方向Ｄ２へ流れて、右側面４ａに設けられている排気口１１から第２の部分４の外へ排出される。
【００３５】
背面１ｂに排気口１１が設けられていないことから、電力変換装置１の後方には、第２の部分４の内部から排出される空気を逃がすためのスペースは無くても良い。また、背面１ｂに排気口１１および吸気口１２が設けられていないことから、電力変換装置１の後方には、排気口１１および吸気口１２の清掃作業のためのスペースも無くても良い。このため、電力変換装置１は、壁１７と背面１ｂとの間隙がほとんど無い状態で設置することができる。
【００３６】
図９は、実施の形態１にかかる電力変換装置の第２の設置例を示す図である。図９には、建造物の壁１８に左側面３ｂを寄せて設置されている電力変換装置１を後方から見た様子を示している。図９に示す電力変換装置１は、壁１８と左側面３ｂとの間隙がほとんど無い状態で設置されている。なお、図９に示す電力変換装置１は、図８に示す場合と同様に、壁１７に背面１ｂを寄せて設置されている。すなわち、図９に示す電力変換装置１は、壁１７と壁１８とに寄せて設置されている。
【００３７】
ホルダ９に充放電ケーブル７が掛けられている状態において、充放電ケーブル７の一部が排気口１１と対向することがあり得る。右側面３ａに対して右側面４ａが中心Ｃ側へ凹んでいることによって、電力変換装置１は、充放電ケーブル７と排気口１１との間に、排気口１１から排出される空気を逃がすためのスペースを確保することができる。これにより、電力変換装置１は、排気口１１から排出される熱風が充放電ケーブル７の周りに停滞することによる充放電ケーブル７の劣化を抑制することができる。また、電力変換装置１は、充放電ケーブル７が空気の流れを妨げることによる放熱効率の低下を抑制することができる。なお、右側面３ａの付近に充放電ケーブル７以外の電線がある場合、電力変換装置１は、充放電ケーブル７の場合と同様に、当該電線の劣化を抑制することができる。また、電力変換装置１は、当該電線が空気の流れを妨げることによる放熱効率の低下を抑制することができる。
【００３８】
左側面３ｂに対して左側面４ｂが中心Ｃ側へ凹んでいることによって、電力変換装置１は、壁１８と吸気口１２との間に、吸気口１２へ吸い込まれる空気が通るスペースを確保することができる。これにより、電力変換装置１は、吸気口１２へ吸い込まれる空気が少なくなることによる放熱効率の低下を抑制することができる。
【００３９】
第２の方向Ｄ２と第３の方向Ｄ３とにおいて第２の部分４の寸法が第１の部分３の寸法よりも小さいことによって、図２に示すように電力変換装置１を前方斜めから見た場合に、第２の部分４が第１の部分３に隠される。電力変換装置１を前方斜めから見たときに電力変換装置１がより薄型に見えることから、電力変換装置１が設置されていることによる圧迫感の低減が可能となる。
【００４０】
実施の形態１によると、電力変換装置１は、第２の部分４の右側面４ａに排気口１１が設けられており、かつ第２の部分４の左側面４ｂに吸気口１２が設けられていることによって、電力変換装置１の周囲の構造物に背面１ｂを寄せて設置することができる。これにより、電力変換装置１は、筐体２の背面１ｂを構造物に寄せて設置することができるという効果を奏する。
【００４１】
実施の形態２．
実施の形態２では、電力変換装置１のうち、電源ケーブルの配置について説明する。図１０は、本発明の実施の形態２にかかる電力変換装置の外観を示す平面図である。図１１は、図１０に示すXI−XI線における筐体の断面図である。図１０には、設置面２０に設置されている電力変換装置１を後方から見た様子を示している。実施の形態２では、上記の実施の形態１と同一の構成要素には同一の符号を付し、実施の形態１とは異なる構成について主に説明する。
【００４２】
第１の部分３の下面３ｃには、筐体２の内部から筐体２の外へ電源ケーブル２１が通されるケーブル引出口２１ａが設けられている。電源ケーブル２１は、ケーブル引出口２１ａから下方へ引き出されており、さらに電力変換装置１の後方へ曲げられている。なお、電源ケーブル２１は、後方以外の方向へ曲げられても良い。
【００４３】
第３の方向Ｄ３における脚部６の長さは、設置面２０に電源ケーブル２１が接触した状態において、電源ケーブル２１の最小曲げ半径よりも大きい曲げ半径で電源ケーブル２１を曲げさせることが可能な長さである。電力変換装置１は、設置面２０と下面３ｃとの間において最小曲げ半径以下の曲げ半径で電源ケーブル２１が曲げられることを抑制できる。これにより、電力変換装置１は、最小曲げ半径以下の曲げ半径で電源ケーブル２１が曲げられることによる電源ケーブル２１の破損を防ぐことができる。また、設置面２０と下面３ｃとの間に電源ケーブル２１を配置できるため、筐体２から引き出された電源ケーブル２１を設置面２０よりも下方へ埋めなくても済む。このため、電力変換装置１を設置する作業者は、簡易な作業によって電力変換装置１を設置することができる。
【００４４】
次に、実施の形態２の変形例について説明する。図１２は、実施の形態２の変形例１にかかる電力変換装置の外観を示す第１の平面図である。図１３は、実施の形態２の変形例１にかかる電力変換装置の外観を示す第２の平面図である。図１２には、設置面２０に設置されている電力変換装置１を後方から見た様子を示している。図１３には、設置面２０に設置されている電力変換装置１を左から見た様子を示している。図１３に示すように、電力変換装置１は、壁１７に背面１ｂを寄せて設置されている。
【００４５】
筐体２の下面、すなわち第１の部分３の下面３ｃおよび第２の部分４の下面には、２つの脚部６，２２が設けられている。２つの脚部６，２２のうち左に位置する１つの脚部２２には、電源ケーブル２１が通される孔２２ａが設けられている。
【００４６】
電源ケーブル２１は、ケーブル引出口２１ａから下方へ引き出されており、かつ孔２２ａを通されている。電源ケーブル２１は、孔２２ａを通されることによって、電力変換装置１から左向きに引き出されている。
【００４７】
図１４は、実施の形態２の変形例２にかかる電力変換装置の外観を示す第１の平面図である。図１５は、実施の形態２の変形例２にかかる電力変換装置の外観を示す第２の平面図である。図１４には、設置面２０に設置されている電力変換装置１を後方から見た様子を示している。図１５には、設置面２０に設置されている電力変換装置１を右から見た様子を示している。図１５に示すように、電力変換装置１は、壁１７に背面１ｂを寄せて設置されている。なお、図１５では、充放電ケーブル７、コネクタ８およびホルダ９を省略している。
【００４８】
筐体２の下面、すなわち第１の部分３の下面３ｃおよび第２の部分４の下面には、２つの脚部６，２２が設けられている。２つの脚部６，２２のうち右に位置する１つの脚部２２には、電源ケーブル２１が通される孔２２ａが設けられている。孔２２ａは、第２の方向Ｄ２において脚部２２を貫いている。
【００４９】
電源ケーブル２１は、ケーブル引出口２１ａから下方へ引き出されており、かつ孔２２ａを通されている。電源ケーブル２１は、孔２２ａを通されることによって、電力変換装置１から右向きに引き出されている。
【００５０】
実施の形態２の変形例１または２によると、１つの脚部２２に設けられている孔２２ａに電源ケーブル２１が通されることによって、電源ケーブル２１が、筐体２から電力変換装置１の後方以外の方向へ向けて配置される。壁１７に背面１ｂを寄せて電力変換装置１と壁１７との間に電源ケーブル２１を入り込ませないことにより、壁１７にできるだけ寄せて電力変換装置１を設置することができる。
【００５１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５２】
１  電力変換装置、１ａ  正面、１ｂ  背面、２  筐体、３  第１の部分、３ａ，４ａ  右側面、３ｂ，４ｂ  左側面、３ｃ  下面、４  第２の部分、５  カバー、５ａ  ねじ、６，２２  脚部、７  充放電ケーブル、７ａ，２１ａ  ケーブル引出口、８  コネクタ、９  ホルダ、１１  排気口、１２  吸気口、１３  電子部品、１４  ベース、１５  フィン、１６  ファン、１７，１８  壁、２０  設置面、２１  電源ケーブル、２２ａ  孔、Ｃ  中心、Ｄ１  第１の方向、Ｄ２  第２の方向、Ｄ３  第３の方向。
【図１】
2021070244.tif 000003
【図２】
2021070244.tif 000004
【図３】
2021070244.tif 000005
【図４】
2021070244.tif 000006
【図５】
2021070244.tif 000007
【図６】
2021070244.tif 000008
【図７】
2021070244.tif 000009
【図８】
2021070244.tif 000010
【図９】
2021070244.tif 000011
【図１０】
2021070244.tif 000012
【図１１】
2021070244.tif 000013
【図１２】
2021070244.tif 000014
【図１３】
2021070244.tif 000015
【図１４】
2021070244.tif 000016
【図１５】
2021070244.tif 000017
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
電力変換のための電子部品と、
空気を流動させることによって、前記電子部品に発生した熱を放散させる放熱構造と、
前記電子部品が収容されている第１の部分と、鉛直方向に垂直な第１の方向において前記第１の部分と隣り合い、内部にて空気が流れる第２の部分とを有する筐体と、を備える電力変換装置であって、
前記筐体の下面に設けられており、前記電力変換装置が設置される設置面上にて前記筐体を支持する脚部と、
前記下面から前記筐体の外へ鉛直下方に引き出されているケーブルと、を備え、
前記第２の部分のうち、鉛直方向に垂直かつ前記第１の方向に垂直な第２の方向における一方の端に位置する第１の側面には、前記第２の部分の内部から排出される空気が通る排気口が設けられており、
前記第２の部分のうち、前記第２の方向における他方の端に位置する第２の側面には、前記第２の部分の内部へ吸い込まれる空気が通る吸気口が設けられており、
鉛直方向における前記脚部の長さは、前記設置面に前記ケーブルが接触した状態において前記ケーブルの最小曲げ半径よりも大きい曲げ半径で前記ケーブルを任意の方向へ曲げさせることが可能な長さであることを特徴とする電力変換装置。
【請求項２】
前記第２の方向における前記第１の部分の２つの端のうち空気流の下流側に位置する端から前記第２の方向における前記筐体の中心までの長さよりも、前記第１の側面から前記中心までの長さのほうが短いことを特徴とする請求項１に記載の電力変換装置。
【請求項３】
前記第２の方向における前記第１の部分の２つの端のうち空気流の上流側に位置する端から前記第２の方向における前記筐体の中心までの長さよりも、前記第２の側面から前記中心までの長さのほうが短いことを特徴とする請求項１または２に記載の電力変換装置。
【請求項４】
前記脚部には、前記ケーブルが通される孔が設けられていることを特徴とする請求項１から３のいずれか１つに記載の電力変換装置。
【手続補正２】
【補正対象書類名】明細書
【補正対象項目名】０００８
【補正方法】変更
【補正の内容】
【０００８】
上述した課題を解決し、目的を達成するために、本発明にかかる電力変換装置は、電力変換のための電子部品と、空気を流動させることによって、電子部品に発生した熱を放散させる放熱構造と、を備える。本発明にかかる電力変換装置は、電子部品が収容されている第１の部分と、鉛直方向に垂直な第１の方向において第１の部分と隣り合い、内部にて空気が流れる第２の部分とを有する筐体を備える。本発明にかかる電力変換装置は、筐体の下面に設けられており、電力変換装置が設置される設置面上にて筐体を支持する脚部と、下面から筐体の外へ鉛直下方に引き出されているケーブルとを備える。第２の部分のうち、鉛直方向に垂直かつ第１の方向に垂直な第２の方向における一方の端に位置する第１の側面には、第２の部分の内部から排出される空気が通る排気口が設けられている。第２の部分のうち、第２の方向における他方の端に位置する第２の側面には、第２の部分の内部へ吸い込まれる空気が通る吸気口が設けられている。鉛直方向における脚部の長さは、設置面にケーブルが接触した状態においてケーブルの最小曲げ半径よりも大きい曲げ半径でケーブルを任意の方向へ曲げさせることが可能な長さである。
【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
電力変換のための電子部品と、
空気を流動させることによって、前記電子部品に発生した熱を放散させる放熱構造と、
前記電子部品が収容されている第１の部分と、鉛直方向に垂直な第１の方向において前記第１の部分と隣り合い、内部にて空気が流れる第２の部分とを有する筐体と、を備える電力変換装置であって、
前記筐体の下面に設けられており、前記電力変換装置が設置される設置面上にて前記筐体を支持する１つ以上の脚部と、
前記下面から前記筐体の外へ鉛直下方に引き出されているケーブルと、を備え、
前記第２の部分のうち、鉛直方向に垂直かつ前記第１の方向に垂直な第２の方向における一方の端に位置する第１の側面には、前記第２の部分の内部から排出される空気が通る排気口が設けられており、
前記第２の部分のうち、前記第２の方向における他方の端に位置する第２の側面には、前記第２の部分の内部へ吸い込まれる空気が通る吸気口が設けられており、
鉛直方向における前記脚部の長さは、前記設置面に前記ケーブルが接触した状態において前記ケーブルの最小曲げ半径よりも大きい曲げ半径で前記ケーブルを任意の方向へ曲げさせることが可能な長さであって、
前記脚部の少なくとも１つには孔が設けられており、前記孔に前記ケーブルが通されることを特徴とする電力変換装置。
【請求項２】
前記第２の方向における前記第１の部分の２つの端のうち空気流の下流側に位置する端から前記第２の方向における前記筐体の中心までの長さよりも、前記第１の側面から前記中心までの長さのほうが短いことを特徴とする請求項１に記載の電力変換装置。
【請求項３】
前記第２の方向における前記第１の部分の２つの端のうち空気流の上流側に位置する端から前記第２の方向における前記筐体の中心までの長さよりも、前記第２の側面から前記中心までの長さのほうが短いことを特徴とする請求項１または２に記載の電力変換装置。
【請求項４】
前記孔は、前記第２の方向において前記脚部を貫いていることを特徴とする請求項１から３のいずれか１つに記載の電力変換装置。
【手続補正２】
【補正対象書類名】明細書
【補正対象項目名】０００８
【補正方法】変更
【補正の内容】
【０００８】
上述した課題を解決し、目的を達成するために、本発明にかかる電力変換装置は、電力変換のための電子部品と、空気を流動させることによって、電子部品に発生した熱を放散させる放熱構造と、を備える。本発明にかかる電力変換装置は、電子部品が収容されている第１の部分と、鉛直方向に垂直な第１の方向において第１の部分と隣り合い、内部にて空気が流れる第２の部分とを有する筐体を備える。本発明にかかる電力変換装置は、筐体の下面に設けられており、電力変換装置が設置される設置面上にて筐体を支持する１つ以上の脚部と、下面から筐体の外へ鉛直下方に引き出されているケーブルとを備える。第２の部分のうち、鉛直方向に垂直かつ第１の方向に垂直な第２の方向における一方の端に位置する第１の側面には、第２の部分の内部から排出される空気が通る排気口が設けられている。第２の部分のうち、第２の方向における他方の端に位置する第２の側面には、第２の部分の内部へ吸い込まれる空気が通る吸気口が設けられている。鉛直方向における脚部の長さは、設置面にケーブルが接触した状態においてケーブルの最小曲げ半径よりも大きい曲げ半径でケーブルを任意の方向へ曲げさせることが可能な長さである。脚部の少なくとも１つには孔が設けられており、孔にケーブルが通される。
【国際調査報告】
2021070244.tif 000018
2021070244.tif 000019
2021070244.tif 000020
2021070244.tif 000021